(57)【特許請求の範囲】
【請求項１】
側縁近傍に止着孔１１が開設されたレンズ１・１と；エンドピース５またはブリッジ６のレンズ当接側に配設されたレンズ繋止部材であって、側縁係合部２１および受け孔２２ａを備えた筒状体２２を有するジョイント機構部２と；側端に相方係合部３１および挿通孔３２を有する眉部材３とを含んで構成され、
前記ジョイント機構部２の筒状体２２が前記眉部材３の挿通孔３２に挿通されて、かつ、前記側縁係合部２１および相方係合部３１が互いに係合される一方、
眉部材３がレンズ１の上縁に沿って添設され、かつ、ジョイント機構部２の筒状体２２がレンズ１の止着孔１１に挿嵌されて、レンズ対向部から止着部材４が当該筒状体２２の受け孔２２ａにおいて締着されることによって、レンズ１および眉部材３およびエンドピース５またはブリッジ６を固定して構成されたことを特徴とするレンズ孔止め式眼鏡の組立機構。
【請求項２】
ジョイント機構部２の側縁係合部２１に突起２１ａが形成され、かつ、眉部材３の相方係合部３１には通孔３１ａが開設されており、前記突起２１ａが通孔３１ａに挿通して係合されていることを特徴とする請求項１記載のレンズ孔止め式眼鏡の組立機構。
【請求項３】
ジョイント機構部２の側縁係合部２１および眉部材３の相方係合部３１には互いに嵌合可能な嵌合凹凸が形成されていることを特徴とする請求項１または２記載のレンズ孔止め式眼鏡の組立機構。
【請求項４】
眉部材３の挿通孔３２の周縁にはスリット３２ａが形成されており、孔径が拡開可能であることを特徴とする請求項１〜３の何れか一つに記載のレンズ孔止め式眼鏡の組立機構。
【発明の詳細な説明】
【０００１】
【発明の属する技術分野】
本発明は、眼鏡の改良、更に詳しくは、レンズ保持の状態が非常に安定的であり、しかも構造を簡素化して簡単に組み立てることができる実用的なレンズ孔止め式眼鏡の組立機構に関するものである。
【０００２】
【従来の技術】
最近、眼鏡常用者の間では、軽くて視野が広くて明るく、しかもお洒落のグッズとして利用できるスマートなレンズ孔止め式眼鏡が流行している。ところで、この種のレンズ孔止め式眼鏡においてレンズを止着する際は、レンズに直接止着孔を穿設し、その止着孔にエンドピースをネジ止めして眼鏡レンズを保持し、ネジ止めされたエンドピースとテンプルとをヒンジ連結して製作している。
【０００３】
ところで、レンズ孔止め式眼鏡はレンズとエンドピースとを強固に螺着してもレンズ周縁が円弧状をなしているため、止着孔の回りにレンズが回転してしまうという問題があった。そこで、一般的には、眼鏡フロントから後方に持ち出されたエンドピースの所定位置に板状の当て金を溶接し、この当て金をレンズ周縁に当接させることにより前記エンドピースに対するレンズの回転を阻止していた。
【０００４】
しかしながら、このような当て金を有するエンドピースにあっては、回り止めのための当て金をエンドピースに余分に取り付ける必要があるため、その取り付けも十分な接合強度を有するよう確実に溶接加工する必要があって高い精度が要求されるため、部品点数および加工コストが増大するという欠点があった。
【０００５】
【発明が解決しようとする課題】
本発明は、従来のレンズ孔止め式眼鏡の組立てに上記の如き欠点があったことに鑑みて為されたものであり、その目的とするところは、レンズ保持の状態が非常に安定的であり、しかも構造を簡素化して簡単に組み立てることができる実用的なレンズ孔止め式眼鏡の組立機構を提供することにある。
【０００６】
【課題を解決するための手段】
本発明者が上記課題を解決するために採用した手段を添付図面を参照して説明すれば次のとおりである。
【０００７】
即ち、本発明は、側縁近傍に止着孔１１が開設されたレンズ１・１と；エンドピース５またはブリッジ６のレンズ当接側に配設されたレンズ繋止部材であって、側縁係合部２１および受け孔２２ａを備えた筒状体２２を有するジョイント機構部２と；側端に相方係合部３１および挿通孔３２を有する眉部材３とを含んで構成され、
前記ジョイント機構部２の筒状体２２が前記眉部材３の挿通孔３２に挿通されて、かつ、前記側縁係合部２１および相方係合部３１が互いに係合される一方、
眉部材３がレンズ１の上縁に沿って添設され、かつ、ジョイント機構部２の筒状体２２がレンズ１の止着孔１１に挿嵌されて、レンズ対向部から止着部材４が当該筒状体２２の受け孔２２ａにおいて締着されることによって、レンズ１および眉部材３およびエンドピース５またはブリッジ６を固定して構成するという技術的手段を採用した。
【０００８】
また、本発明は、上記課題を解決するために、必要に応じて上記手段に加え、ジョイント機構部２の側縁係合部２１に突起２１ａが形成され、かつ、眉部材３の相方係合部３１には通孔３１ａが開設されており、前記突起２１ａを通孔３１ａに挿通して係合するという技術的手段を採用した。
【０００９】
更にまた、本発明は、上記課題を解決するために、必要に応じて上記手段に加え、ジョイント機構部２の側縁係合部２１および眉部材３の相方係合部３１には互いに嵌合可能な嵌合凹凸を形成するという技術的手段を採用した。
【００１０】
更にまた、本発明は、上記課題を解決するために、必要に応じて上記手段に加え、眉部材３の挿通孔３２の周縁にはスリット３２ａが形成されており、孔径が拡開可能であるという技術的手段を採用した。
【００１１】
【発明の実施の形態】
本発明の実施形態を具体的に図示した図面に基いて更に詳細に説明すると次のとおりである。
【００１２】
『第１実施形態』
本発明の第１実施形態を図１から図３に基いて説明する。図中、符号１で指示するものはレンズであり、このレンズ１の側縁近傍にはレンズ止着孔１１が穿孔されている。また、符号２で指示するものはジョイント機構部であり、このジョイント機構部２は側縁係合部２１および受け孔２２ａを備えた筒状体２２を有する。
【００１３】
また、符号３で指示するものは眉部材であり、この眉部材３は側端に相方係合部３１および挿通孔３２を有する。符号４で指示するものは止着部材であり、符号５で指示するものはエンドピース、符号６で指示するものはブリッジである。
【００１４】
しかして、本実施形態における眼鏡を構成するにあっては、まず、前記ジョイント機構部２の筒状体２２を前記眉部材３の挿通孔３２に挿通し、かつ、前記側縁係合部２１および相方係合部３１を互いに係合せしめる。
【００１５】
本実施形態では、エンドピース５にジョイント機構部２を配設して構成したものであり、ジョイント機構部２の側縁係合部２１には突起２１ａが形成され、かつ、眉部材３の相方係合部３１には通孔３１ａが開設されており、前記突起２１ａが通孔３１ａに挿通して係合できるように構成されている（図２参照）。
【００１６】
そして、眉部材３がレンズ１の上縁に沿って添設され、かつ、ジョイント機構部２の筒状体２２がレンズ１の止着孔１１に挿嵌し、レンズ対向部から止着部材４（本実施形態ではネジ）が当該筒状体２２の受け孔２２ａにおいて締着することによって、レンズ１および眉部材３およびエンドピース５またはブリッジ６を固定して眼鏡を組み立てることができる（図３参照）。
【００１７】
本実施形態では、これら２箇所の係合によって、確実にジョイント機構部２と眉部材３を固定することができ、レンズ１には止着孔１１を開設するだけで良く、側縁に切欠部を成形したり、当接させる当て金を設ける必要もないので、加工の手間がかからず、しかも、デザイン的にもスッキリとまとめることができる。
【００１８】
『第２実施形態』
次に、本発明の第２実施形態を図４に基いて説明する。本実施形態が第１実施形態と異なる点は、ジョイント機構部２の側縁係合部２１および眉部材３の相方係合部３１に互いに嵌合可能な嵌合凹凸を形成した点にある。
【００１９】
また、眉部材３の挿通孔３２の周縁にはスリット３２ａが形成されており、孔径が拡開可能である。このように拡開することにより、筒状体２２のサイズが若干大きく作製されたとしても、挿嵌することができるので、作製精度の要求を低くすることができ、また、眉部材３が弾性材料で作製されていれば、筒状体２２の外周を弾性的に押圧することによって締付け固定することができる。
【００２０】
本実施形態においては、側縁係合部２１および相方係合部３１において、図示したような形状の嵌合凹凸を形成することにより、第１実施形態と同様に安定して固定することができる。
【００２１】
本発明は概ね上記のように構成されるが、本発明は図示の実施形態に限定されるものでは決してなく、「特許請求の範囲」の記載内において種々の変更が可能であって、例えば、ジョイント機構部２の側縁係合部２１および眉部材３の相方係合部３１は互いに係合ができれば、本実施形態のような挿嵌式に形成しても良く、また、嵌合形状の場合、この凹凸形状の設計は自由に変更することができる。
【００２２】
また、本実施形態ではエンドピース５部分について説明したが、ブリッジ６部分についても同様にジョイント機構部２を配設することによって眉部材３およびレンズ１を止着することができる。更にまた、本発明の組立機構は、前述したようなリムレス眼鏡に限らず、フルリム眼鏡やハーフリム眼鏡においても、レンズに止着孔が開設されていれば採用することができ、何れのものも本発明の技術的範囲に属する。
【００２３】
【発明の効果】
以上、実施形態をもって説明したとおり、本発明においては、エンドピースまたはブリッジにジョイント機構部の筒状体と係合手段とを配設したことにより、これら２箇所を係合させることによって、確実にジョイント機構部と眉部材を固定すると同時に、眉部材をレンズに固定することができる。
【００２４】
また、レンズには止着孔を開設するだけで良く、側縁に切欠部を成形したり、当て金を設ける必要がないので、加工の手間がかからず、しかも、デザイン的にもスッキリとまとめることができることから、眼鏡における実用的利用価値は頗る高いものがあると云える。
【図面の簡単な説明】
【図１】本発明の第１実施形態の眼鏡を表わす全体斜視図である。
【図２】本発明の第１実施形態の取付機構を表わす部分分解斜視図である。
【図３】本発明の第１実施形態の取付機構を表わす部分説明上面図である。
【図４】本発明の第２実施形態の取付機構を表わす部分分解斜視図である。
【符号の説明】
１    レンズ
１１  止着孔
２    ジョイント機構部
２１  側縁係合部
２１ａ  突起
２２  筒状体
２２ａ  受け孔
３    眉部材
３１  相方係合部
３１ａ  通孔
３２  挿通孔
３２ａ  スリット
４    止着部材
５    エンドピース
６    ブリッジ
【図１】
0003577484.tif 000002
【図２】
0003577484.tif 000003
【図３】
0003577484.tif 000004
【図４】
0003577484.tif 000005